(57)【要約】      （修正有）【課題】ＬＥＤと、各種電源装置を利用し、両手を使用することなく夜間活動時の手元照明の補助、音響発生によって通勤、通学、看護、介護、登山時の安全確保を行える照明具を提供する。【解決手段】ＬＥＤ電球によって発光し、その光を反射鏡によって集光し、上着の前面ポケット、側面ポケット、或いは携帯用バッグのポケット等へ装着して行動の前面を照射する小型携帯用照明具に音響発生装置を付加し、ＬＥＤ球と反射鏡２、及び音響発生装置と付属するスイッチ４を含む装置を上部に置き、電源電池８の収納部を下部に置いて一体化し、同下部の外側へ懸架アーム７を持つホルダー６を設置し、懸架アームを洋服のポケット９の外側又は内側に装着することによって、照明器具本体１を洋服のポケットの外側、又は内側に配置する。【選択図】図７
0003202508.tif 000002
【実用新案登録請求の範囲】
【請求項１】
ＬＥＤ電球によって発光し、その光を反射鏡によって集光し、上着の前面ポケット、側面ポケット、或いは携帯用バッグのポケット等へ装着して行動の前面を照射する小型携帯用照明具に付加して、音響発生装置を設置し、同小型携帯用照明器具のＬＥＤ球と反射鏡、及び音響発生装置と付属するスイッチを含む装置を上部に置き、電源電池の収納部を下部に置いて一体化し、同下部の外側へ懸架アームを持つホルダーを設置し、懸架アームを洋服のポケットの外側又は内側に装着することによって、照明器具本体を洋服のポケットの外側、又は内側に配置することを可能とする音響発生装置を持つ小型携帯用照明具の構造。
【請求項２】
請求項１に於いて、歩行の前面を照射する場合、洋服の上着の前面ポケットへ収納して前面を照射する場合と、洋服の上着の側面ポケット、或いは携帯用バッグの側面に設置して歩行前面を照射する場合とでは、必要とする発射光の方向が９０度異なる。  これに対応可能とする為に、発射光の指向方向を９０度変換できる装置、或いは、２方向へ向けて２基の発光装置を設置し、切り替えスイッチによって１台の照明装置で何れの方向へも照射を可能とする機能を有する音響発生装置を持つ小型携帯用照明具の構造。
【請求項３】
請求項１に於いて、歩行の前面を照射する場合、洋服の上着の前面ポケットへ収納して前面を照射する場合と、洋服の上着の側面ポケット、或いは携帯用バッグの側面に設置して歩行前面を照射する場合とでは、必要とする発射光の方向が異なる。  これに対応可能とする為に、装置の下部断面を多角形若しくは円形とし、これに下部の外側へ懸架アームを持つホルダーを多角形若しくは円形として必要に応じて角度を変えて装着し、懸架アームを被懸架対象へ装着することによって、何れの場合に於いても必要機能を発揮する音響発生装置を持つ小型携帯用照明具の構造。
【請求項４】
請求項１に於いて、女性用或は子供用として使用する場合に、装置の総体的な大きさ或は、形状の美観，装置の重量軽減を重視して本体の断面形状を円形、或は楕円形とし、その背後に懸架用アームを直結し、美観と重量軽減を図った小型携帯用照明具の構造。
【請求項５】
ＬＥＤ電球によって発光し、その光を反射鏡によって集光し、帽子へ装着して歩行の前面を照射する小型携帯用照明具の構造に付加して前記反射鏡の横へ音響発生装置を設置し、同小型携帯用照明器具の上部のＬＥＤ電球と反射鏡、及び音響発生装置と付属するスイッチを反射鏡と音響発生装装置の横に設置し、夜間歩行中の照明、夜間作業中の照明、夜行登山時の相互連絡、或いは、非常事態発生時の音響発生装置を有する、帽子装着用小型携帯用照明具。
【考案の詳細な説明】
【技術分野】
【０００１】近年ＬＥＤ電球、音響発生装置等の開発が進み、多方面に利用されている。また、その周辺技術も進化している。本申請は、その技術を利用して新しい製品とその利用分野を開拓しようとするものである。
【背景技術】
【０００２】過去に於いては、夜間行動中、夜間作業中、夜間登山中等に於いては棒状の手持ちライトを使用していた。  その為両腕を使用して行動、作業、を行うことは不可能であった。それが原因で、夜間行動中の安全性、作業能率等の低下は避けることが出来なかった。
【先行技術文献】
【特許文献】
【０００３】
【特許文献１】  特開２００９−１６７５８７
【特許文献２】  特開２００８−２５２７０６
【特許文献３】  特開２００７−１７９４０２
【特許文献４】  特開２００７−１７２０８５
【特許文献５】  特開２００６−３０２０９９
【特許文献６】  特開２００６−２６８１９２
【特許文献７】  特開２００５−１４１５９２
【特許文献８】  特開２００３−２６４８９４
【特許文献９】  特開２０１１−２３３１６９
【特許文献１０】  特開２０１０−０５０６０４
【考案の概要】
【考案が解決しようとする課題】
【０００４】本申請は非常用、或いは日常で夜間活動時の手元照明の補助、通勤、通学時、看護時、介護時、或は登山時の安全確保用に使用される照明具、及びこれに付加して非常問題発生時に音響を発生して非常事態警報を通報する装置について提案を行うものである。【０００５】上述の如くＬＥＤの照明技術が進化し、利用の範囲が急速に伸びて来ている。  本発明は、日常の活動範囲の中で夜間に於ける手近で簡単に利用出来る照明器具、或いは、夜間様々な形での照明及音響発生システムを提供しようとするものである。
【課題を解決する為の手段】
【０００６】夜間の作業、通勤通学、看護、介護、登山時或いは非常災害等で照明が必要となった時に、照明器具を手に持って行動をする事は、場合によっては不便であり、或いは危険が伴うことも想定される。  本発明はその様な時に照明器具を手に持たず、照明器具を洋服のポケット、或いは、携帯用バッグのポケット或いは、帽子等に設置して、正面をライトで照らし、その光を反射鏡によって集光し、歩行或いは作業の前面を照射する小型携帯用照明具の構造に付加して前記反射鏡の横に音響発生装置を設置し、両手をフルに使用できるようにする為の手法を提供するものである。
【０００７】図１は、洋服の前部ポケットへ設置する場合の装置の正面図である。
図２は、装置全体を上から見た時の平面図である。（１）は本体、（２）はＬＥＤ電球と反射鏡、（３）は音響発生装置、（４）は、照明用スイッチ、（５）は音響発生用スイッチ、（６）は、ホルダー本体、（７）は、懸架アーム、である。（５）のスイッチを軽く押して離せば、ＬＥＤライトが点灯して直ぐに消灯する、２秒以上を押すことによって再度押すまでの長時間に渉る点灯が可能となる。
【０００８】図３は、装置の照明部分のＡ−Ａ断面図である。  図４は、装置の音響発生装置部分のＢ−Ｂ断面図である。図５は、図３の照明部分の断面図に於いて、ホルダー部分（６）を前後反対に設置し、懸架アーム（７）を装置の後側に置いた図である。（８）は、コイン型バッテである。
図６も同様に図４のホルダー部分（６）を前後反対に設置し、懸架アー、ム（７）を装置の後側に置いた図である。
【０００９】図７は、図５のホルダー部分（６）の懸架アーム（７）を装置の前側に置いて洋服のポケット（９）の中に装置を収納した状態の断面図を示し、図８は、図５のホルダー部分の懸架アーム（７）を装置の後側に置いて、装置を洋服のポケット（９）の外に置いた状態の断面図を示す。洋服のポケット（９）は、何時も本照明器具を受け入れるスペースが残されている保証はない。  ポケットの構造、大きさ、他の収納物体の有無等の状態によっては照明器具の受け入れの出来ないことも考えられる。本案は、ホルダー（６）によって本体を受け入れ、ホルダー（６）に付属するアーム（７）によって洋服のポケットへ懸架するが、図３、図４に示すホルダー（６）のアーム（７）の位置と、図５、図６に於ける如くアーム（７）の位置は逆方向とすることが可能である。  これによって本体を洋服のポケットに充分な収納スペースがあれば、図７の如くポケットの内側に収納し、充分なスペースが取れない場合は、図８の如くホルダーを１８０度回転させて  懸架アームを洋服のポケットの内側に入れてポケットの外側に本体を置き、照明或いは音響発生をすることが可能となる。
【００１０】以上の説明は、夜間の行動中の照明と、安全確保のための音響発生装置に対するもので、主としてホルダーの使用によって、洋服のポケット（９）、或いは肩掛けバッグのポケットへ収納し、或いはポケット（９）の外側に配置して照明の効果を得ようとするものである。
【００１１】図９、図１０、図１１、図１２、は、装置を洋服の前面ポケット、或いは洋服の側面ポケット或いは携帯用バックのポケットへ装着可能とする手法を示すものである。  例えばバッグのポケットは、通常バックを肩に掛けた場合に、バックは、体の右、或は、左に位置し、バッグの側面が前を向き、バッグの正面は体の右、或は左を向いている。このような場合には、図１に示すような方向を照らす照明装置では、光は歩行前方を照らさず、横方向を照らすことになる。照明用としての機能を果さないことになる。その為、照明用のＬＥＤ電球及び反射鏡（２）を（１０）のハンドルによって９０度回転可能とさせて装置の側面から発光させて歩行方向を照射し、その反対側に音響発生装置（３）を配置する。
照明用スイッチ（４）と音響発生用のスイッチ（５）は、装置の側面部へ設置する。バッグを右肩に掛けた場合と、左肩に掛けた場合とではホルダー（７）の掛け方は逆向きとする。これによってバックに掛けられた本装置の側面は歩行の前方に向き、光は歩行前方を照射することが可能になる。又、音響は歩行の後方向きに発射される。  以上によって、１台の装置によって多くの使用目的に対応可能となる。
【００１２】図１３及び図１４は、小型照明装置の図面である。上部断面は正方形、下部断面を正方形に近い多角形状とし、最上部に照明用のＬＥＤ電球及び反射鏡（２）を置き、その下に音響発生装置（３）を設置する。電球のスイッチ（４）及び、音響発生用スイッチ（５）は、各装置の兩サイドに設置し、その下部に電源電池を置く。全体の容積を極力小さいものとして、下部の外側に上記の正方形に近い多角形ホルダー（６）をセットし、洋服のポケット、カバンのポケット等へ懸架する。照明用の光線方向に合わせて本体を多角形ホルダー（６）へ挿入し、アーム（７）によって洋服のポケットへ設置する。  形状を小さいものにすることによって、便利な装置となる。
【００１３】通常女性の上着にはポケットは無い。襟元へ装着する場合に於いても大きい形態の装飾品は着用しない。子供用の用途としても形状は小型であることが望ましい。それらを満足する為に、角は丸くし、装置全体を軽く仕上げる形態としたものが図１５、図１６である。  全体的に小型化し、角は丸くして、ハング用のアームも小型化すれば、女性服の襟元、或は、子供の洋服への装着も可能となる。（１）は本体、（２）はＬＥＤランプ、（３）は音響発生装置、（４）はＬＥＤランプ用スイッチ、である。
【００１４】図１７及び図１８は、帽子の前部に設置して夜間作業、夜間照明歩行、夜間登山の安全歩行、の目的に対する装置である。
（２）は、ＬＥＤランプの周囲に反射板を設置して前方を照射し、（３）は、音響発生装置で緊急時、或いは夜間登山の場合の相互連絡、或いは緊急事態発生の時の通報に使用する。（４）は、ＬＥＤランプ（３）用のスイッチ、（５）は、音響発生装置（３）用のスイッチである。（１１）は、帽子を取り巻くベルトである。
夜間作業、夜間歩行、夜間登山の時にベルトで帽子へ設置し、必要に応じて（１２）、（１３）のスイッチを使用して光、或いは音響を発生させて安全作業、安全歩行、緊急事態や危険の通報を行う。夜間登山の様な場合に一定時間毎に相互連絡も可能となり、安全登山も期待できるものとなる。
【考案の効果】
【００１５】ＬＥＤの発光性能と最近の電源用電池の性能を利用して、非常用、或いは、日常での夜間活動時の手元照明の補助、通勤、通学時の歩行の安全確保、看護、介護、近年では特に犯罪防止、或いは夜間登山用として使用される小型で、利便性の高い製品を市場へ供給することが出来る。
【図面の簡単な説明】
【００１６】
【図１】  装置の外観正面図。
【図２】  装置の外観平面図。
【図３】  ホルダーを設置し、懸架アームを左に置いたＡ−Ａ断面図。
【図４】  ホルダーを設置し、懸架アームを左に置いたＢ−Ｂ断面図。
【図５】  ホルダーを設置し、懸架アームを右に置いたＡ−Ａ断面図。
【図６】  ホルダーを設置し、懸架アームを右に置いたＢ−Ｂ断面図。
【図７】  ホルダーを設置し、装置を洋服のポケット内へ収納したＡ−Ａ断面図。
【図８】  ホルダーを設置し、装置を洋服のポケットの外へ設置したＡ−Ａ断面図。
【図９】  ライトの反射鏡を９０度回転できる形式にした装置の正面図。
【図１０】  ライトの反射鏡を９０度回転できる形式にした装置の平面図
【図１１】  ライトの反射鏡を９０度回転できる形式にした装置のライトを正面方向に向けた場合の断面図。
【図１２】  ライトの反射鏡を９０度回転できる形式にした装置のライトを９０度横方向に向けた場合の断面図。
【図１３】  ライトの反射鏡の上に音響発生装置を置き、装置の横断面を正方形に近いものとした装置の正面図
【図１４】  ライトの反射鏡の上に音響発生装置を置き、装置の横断面を正方形に近いものとした装置のＣ−Ｃ断面図
【図１５】  女性或いは子供用に小型化し、丸みを持った形態とした正面図。
【図１６】  女性或いは子供用に小型化し、丸みを持った形態としたＤ−Ｄ断面図。
【図１７】  帽子の庇の上バンドで装置を懸架する場合の正面図。
【図１８】  帽子の庇の上にバンドで装置を懸架する場合のＤ−Ｄ断面図。
【考案を実施する為の形態】
【００１７】本実用新案は、最近のＬＥＤ技術を使って、夜間作業、夜の通勤通学、夜の看護、夜の介護、夜行登山時における想定される電源電池は、目的によって異なる。単３単４の棒状電池、コイン型電池、マグネシュウムイオン電池、等である。コイン型電池は、小容量ではあるが小型で設置スペースは狭く、装置を小型に出来る。また、価格は上がるが複数の併設によって電気容量を上げることが出来るので光量を高めて明るい照明、或いは、高い音響の発生が期待できる。
【００１８】洋服のポケットの構造によっては主装置をポケットの外側へ配置する可能性も考慮し、主装置を洋服のポケット外側へ主装置を設置することが出来る構造も提案をする。  また、洋服の側面ポケット、携帯用バッグのポケットへ設置する為の構造も提示している。
【００１９】非常用、或いは日常で夜間活動時の手元照明の補助、通勤、通学時の歩行、夜の看護、或は、夜の介護時、或は夜の登山時の補助用具として利用できる構造を提案する。安全確保用に使用される場合に便利な照明具について提案を行うものである。
一般的には照明対象によって器具は選定される。  本製品は夜間に連続的に照明する用途に利用される用具であり、その間に両手を使用しての作業、或いは長時間の歩行を支援する場合に便利な構造となっている。
【実施例】
【００２０】前項で説明された如く、両手を使用することなく必要個所を明るく照す装置であるので特に夜間に光の届かない場所での作業、通勤、通学に対しては音響発生によって災害、犯罪の防止を行い、安全で、且つ、便利で実用的な装置である。帽子の周りに設置して照明によって、安全作業、音響発生によって警報、危害防止、相互連絡、等の作用も実施可能であり、広い範囲での利用が期待される。
【符号の説明】
【００２１】（１）  装置本体。
（２）  ＬＥＤライトと反射板。
（３）  音響発生装置。
（４）  照明用スイッチ。
（５）  音響発生用スイッチ。
（６）  装置のホルダー。
（７）  装置のホルダーアーム。
（８）  コインバッテリー断面。
（９）  洋服ポケット断面。
（１０）ＬＥＤ及び反射鏡の回転ハンドル
（１１）帽子への固定用バンド。
【図１】
0003202508.tif 000003
【図２】
0003202508.tif 000004
【図３】
0003202508.tif 000005
【図４】
0003202508.tif 000006
【図５】
0003202508.tif 000007
【図６】
0003202508.tif 000008
【図７】
0003202508.tif 000009
【図８】
0003202508.tif 000010
【図９】
0003202508.tif 000011
【図１０】
0003202508.tif 000012
【図１１】
0003202508.tif 000013
【図１２】
0003202508.tif 000014
【図１３】
0003202508.tif 000015
【図１４】
0003202508.tif 000016
【図１５】
0003202508.tif 000017
【図１６】
0003202508.tif 000018
【図１７】
0003202508.tif 000019
【図１８】
0003202508.tif 000020
【手続補正書】
【提出日】平成27年11月19日(2015.11.19)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤ電球によって発光し、その光を反射鏡によって集光し、上着の前面ポケット、側面ポケット、或いは携帯用バッグのポケット等へ装着して行動の前面を照射する小型携帯用照明具に付加して音響発生装置を設置し、同小型携帯用照明器具のＬＥＤ球と反射鏡、及び音響発生装置と付属するスイッチを含む装置を上部に置き、電源電池の収納部を下部に置いて一体化し、同下部の外側へ懸架アームを持つホルダーを設置し、懸架アームを洋服のポケットの外側又は内側に装着することによって、照明器具本体を洋服のポケットの外側、又は内側に配置することを可能とする音響発生装置を持つ小型携帯照用明具の構造。
【請求項２】
請求項１に於いて、歩行の前面を照射する場合、洋服の上着の前面ポケットへ収納して前面を照射する場合と、洋服の上着の側面ポケット、或いは、携帯用バッグの側面に設置して歩行前面を照射する場合とでは、必要とする発射光の方向が９０度異なるので、これに対応可能とする為に、発射光の指向方向を９０度変換できる装置を付加し、何れの方向へも照射を可能とする機能を有する音響発生装置を持つ小型携帯用照明具の構造。
【請求項３】
請求項１に於いて、歩行の前面を照射する場合、洋服の上着の前面ポケットへ収納して前面を照射する場合と、洋服の上着の側面ポケット、或いは、携帯用バッグの側面に設置して歩行前面を照射する場合とでは、必要とする発射光の方向が異なるので、これに対応可能とする為に装置の下部外側断面を多角形とし、これに下部の外側へ懸架アームを持つホルダー内側断面を前記装置の下部外側断面と適合する多角形として必要に応じて角度を変えて装着し、懸架アームを被懸架対象へ装着することによって、何れの場合に於いても必要機能を発揮する音響発生装置を持つ小型携帯用照明具の構造。
【請求項４】
請求項１に於いて、女性用或は子供用として使用する場合に、装置の総体的な大きさ或いは、形状の美観，装置の重量軽減を重視して本体の断面形状を円形、或は楕円形とし、その背後に懸架用アームを直結し、美観と重量軽減を図った小型携帯用照明具の構造。
【請求項５】
ＬＥＤ電球によって発光してその光を反射鏡によって集光し、帽子へ装着して夜間歩行の前面を照射する小型携帯用照明具に付加し、発生音が正面方向へ走る音響発生装置を前記反射鏡へ隣接する横へ設置し、照明用及び音響発生装置用の電源スイッチを各装置へ隣接する横で正面から操作できる場所へ配置した、音響発生装置を有する帽子装着用小型携帯照明具の構造。